(57)【要約】【解決手段】単純で且つ部品点数が少ないので、各種ポリマーから経済的に製作して迅速に組み立てることができる光学表示構造が提供されている。本構造は、特に発光素子（２２）を搭載するのに適しており、細長い表示構造やシート様表示構造のような様々な形態を実現するのに好適である。それらは、第１導体と第２導体（２４、２５）の間に連結された複数の発光素子（例えば発光ダイオード）を基にして、他の構造体（例えば、発光素子へのエネルギー供給をやり易くするスペーサ（２６）、ワイヤボンド（１４２）、タブ（１６６））を付加したものである。【選択図】      図１
2007526630.tif 000002
【特許請求の範囲】
【請求項１】
少なくとも１つの発光素子にエネルギーを供給するための表示構造において、
第１及び第２導体（２４、２５）と、
前記導体の間に連結された複数の発光素子（２２）と、を備えている構造。
【請求項２】
前記導体は細長く、前記発光素子は、前記導体に沿って間隔を空けて配置されている、請求項１に記載の構造。
【請求項３】
前記発光素子は、ぞれぞれ、陽極面と陰極面を有し、前記構造は、前記発光素子それぞれの前記陽極面と陰極面の少なくとも一方の面を覆うように載置された複数の抵抗部材（１３６）を更に含んでいる、請求項１に記載の構造。
【請求項４】
複数のワイヤボンド（１４２）を更に含んでおり、前記発光素子それぞれは、前記第２導体と前記ワイヤボンドそれぞれとの間に連結されている、請求項１に記載の構造。
【請求項５】
前記第１導体と第２導体の一方を覆うように載置された絶縁体（５０）を更に含んでおり、前記絶縁体には、それぞれに前記発光素子を１つずつ入れる複数の孔（５２）が形成されている、請求項４に記載の構造。
【請求項６】
前記第１導体と第２導体の一方の上に載置され、前記発光素子を前記第１及び第２導体に連結できるように構成された絶縁体（５０）を更に含んでいる、請求項４に記載の構造。
【請求項７】
前記発光素子は、それぞれ、陽極面と陰極面を有し、前記構造は、前記発光素子それぞれの前記陽極面と陰極面の少なくとも一方の面を覆うようにそれぞれに載置された複数の抵抗部材（１３６）を更に含んでいる、請求項４に記載の構造。
【請求項８】
前記抵抗部材は抵抗膜である、請求項７に記載の構造。
【請求項９】
前記第１導体には複数のタブ（１６６）が形成されており、前記発光素子それぞれは、前記第２導体と前記タブそれぞれの間に連結されている、請求項１に記載の構造。
【請求項１０】
前記第１導体と前記第２導体の一方を覆うように載置された絶縁体（５０）を更に含んでおり、前記絶縁体には、それぞれに前記発光素子を１つずつ入れる複数の孔（５５）が形成されている、請求項９に記載の構造。
【請求項１１】
前記第１導体と第２導体の一方の上に載置され、前記発光素子を前記第１及び第２導体に連結できるように構成された絶縁体（５０）を更に含んでいる、請求項９に記載の構造。
【請求項１２】
前記発光素子は、それぞれ、陽極面と陰極面を有し、前記構造は、前記発光素子それぞれの前記陽極面と陰極面の少なくとも一方の面を覆うようにそれぞれに載置された複数の抵抗部材（１３６）を更に含んでいる、請求項９に記載の構造。
【請求項１３】
前記抵抗部材は抵抗膜である、請求項１２に記載の構造。
【請求項１４】
前記第１導体と第２導体を離間させるように配置された少なくとも１つのスペーサ（２６）を更に備えており、前記スペーサには、前記発光素子を１つずつ入れるための孔（２８）が形成されている、請求項１に記載の構造。
【請求項１５】
前記発光素子は、それぞれ、陽極面と陰極面を有し、前記構造は、前記発光素子それぞれの前記陽極面と陰極面の少なくとも一方の面を覆うようにそれぞれに載置された複数の抵抗部材（１３６）を更に含んでいる、請求項１４に記載の構造。
【請求項１６】
前記抵抗部材は抵抗膜である、請求項１５に記載の構造。
【請求項１７】
前記スペーサには、前記各発光素子からの光の方向を定めるために配置された導光器（３０）が形成されている、請求項１４に記載の構造。
【請求項１８】
前記導光器は、凹型形状を有している、請求項１７に記載の構造。
【請求項１９】
前記導光器は、実質的放物面形状を有している、請求項１７に記載の構造。
【請求項２０】
前記スペーサには、前記孔から離れるにつれて逸れて行く第１及び第２導光器（３０）が形成されている、請求項１７に記載の構造。
【請求項２１】
前記発光素子が放射した光を強化するために、前記導光器の上に載置されたリン光体膜（１２６）を更に含んでいる、請求項１７に記載の構造。
【請求項２２】
前記導光器は、カップ形状を有している、請求項１７に記載の構造。
【請求項２３】
前記スペーサには、前記発光素子それぞれを、それぞれに取り囲んでいるカップ状の導光器（１０４）の配列が形成されている、請求項１７に記載の構造。
【請求項２４】
前記導光器を覆うように配置された実質的に透明なシート（１２２）を更に含んでおり、前記発光素子が放射する光を強化するために、前記シート上に載置されたリン光体膜（１２６）を更に含んでいる、請求項２３に記載の構造。
【請求項２５】
前記スペーサは、ポリマーを含んでいる、請求項１４に記載の構造。
【請求項２６】
前記第１導体と前記第２導体の一方を覆うように載置された絶縁体（５０）を更に含んでおり、前記絶縁体には、それぞれに前記発光素子を１つずつ入れる複数の孔（５２）が形成されている、請求項１４に記載の構造。
【請求項２７】
前記第１導体と第２導体の一方の上に載置され、前記発光素子を前記第１及び第２導体に連結できるように構成された絶縁体（５０）を更に含んでいる、請求項１４に記載の構造。
【請求項２８】
前記第１及び第２導体、前記発光素子、及び前記抵抗部材を封入するポリマーチューブ８０を更に含んでいる、請求項３に記載の構造。
【請求項２９】
前記第１及び第２導体、前記発光素子、及び前記抵抗部材を封入するポリマー部材（８２、８４、８６、８８）を更に含んでいる、請求項３に記載の構造。
【請求項３０】
前記ポリマー部材には、取り付け面（８５）が形成されている、請求項２９に記載の構造。
【請求項３１】
前記ポリマー部材には、取り付けフランジ（８９）が形成されている、請求項２９に記載の構造。
【請求項３２】
前記ポリマー部材には、少なくとも１つの外向きに伸張するリブ（８７）が形成されている、請求項２９に記載の構造。
【発明の詳細な説明】
【技術分野】
【０００１】
本発明は、概して光学表示装置に関する。
【背景技術】
【０００２】
発光ダイオードの好都合な特徴（例えば、低電圧、低温、楽な保守、豊富な色、及び長寿命）に対応して、各種光学表示構造が提供されている。
【発明の開示】
【発明が解決しようとする課題】
【０００３】
しかしながら、それらの構造は、一般に、複雑で、製造に費用が掛かる。
【課題を解決するための手段】
【０００４】
本発明の単純で安価な光学表示構造は、第１導体と第２導体の間に連結された複数の発光素子へのエネルギー供給をやり易くする様々な構造を使用して構成されている。
本発明の新奇な特徴は、特許請求の範囲に具体的に記載している。添付図面を参照しながら以下の説明を読めば、本発明への理解が深まるであろう。
【発明を実施するための最良の形態】
【０００５】
図１から図１０は、経済的に製作でき迅速に組み立てることができる、様々な光学表示装置の複数の発光素子にエネルギー供給するための光学表示構造の各種実施形態を示している。具体的には、図１Ａと図１Ｂは、少なくとも１つの発光素子２２にエネルギー供給するための表示構造の実施形態２０を示している。この構造は、第１及び第２の細長い導体２４、２５と、第１導体と第２導体の間に配置された少なくとも１つのスペーサ２６とを含んでいる。
【０００６】
スペーサ２６Ａで示しているように、各スペーサには、第１及び第２の導体２４、２５に接触させた状態で発光素子を受け入れることができる孔２８が形成されている。スペーサ２６Ａは、孔２８を示しており、スペーサ２６Ｂは、発光素子２２が孔に入っている状態を示している。各スペーサ２６には、少なくとも１つの導光器３０が形成されており、導光器は、各発光素子２２から出て行く光の向きを定めるために配置されている。
【０００７】
具体的には、導光器は、スペーサから出て行く光の少なくとも一部分の方向を定めることができるのであれば、どの様な形態（例えば、反射壁又は屈折壁）に構成されていてもよい。分かり易くするために、導光器のことを、これ以降は壁と呼ぶが、この壁は或る実施形態では平坦である。別の実施形態では、この壁は、図１Ａに示すように凹型形状を有しているのが望ましい。別の実施形態では、この壁は、光を強力に方向決めするために実質的に放物面形状を有していてもよい。
【０００８】
図１Ａと図１Ｂの構造の実施形態では、各スペーサ２６には、孔２８の一方の側から離れるにつれて逸れて行く第１及び第２の壁３２、３３と、孔２８のもう一方の側から離れるにつれて逸れて行く第３及び第４の壁３４、３５とが形成されている。或る実施形態では、スペーサは、孔２８が形成されている基部３８を含んでおり、壁はその基部から上向きに伸びている。
【０００９】
図１Ｂに示すように、表示構造は、第２導体２５を包み込むポリマー（例えば、熱可塑性又は熱硬化性ポリマー）絶縁体４０を含んでいる。この場合、絶縁体には、発光素子と第２導体２５を接触させ易くするために配置された孔４１が形成されているのが望ましい。スペーサ２２は、第１導体と第２導体を局部的に離間させるために配置されており、一方、絶縁体４０は、第１導体と第２導体が、確実に、他のどこでも接触しないようにしている。
【００１０】
本発明の光学表示構造には、様々な発光素子を搭載することができるが、図１Ａと図１Ｂの構造２０は、特に発光ダイオード（ＬＥＤ）を搭載するのに適しており、発光ダイオードは、陰極を第２導体２５に接触させ、陽極を第１導体２４に接触させた状態で、孔２８の中に入っている。
【００１１】
光学表示構造２０の作動時、第１及び第２導体２４と２５の間に電圧が印加され、これによりＬＥＤにエネルギーが供給され、発光接合部４４から光が発せられるようになっている。図１Ａに示すように、光は、接合部から放射されるが、その際、光線の或る部分４６は、スペーサ２６Ａから直接外へ放出され、光線の他の部分４８は、壁３２−３４によって方向決めされてスペーサ２６Ｂから外へ放射されるようになっている。
【００１２】
図１Ｃに示すように、別の表示構造は、第２導体２５の上に絶縁体５０を（例えば、印刷、転写、シルクスクリーンによって）設けている。絶縁体には、ＬＥＤを入れる隙間又は孔５２が（例えば、マスキング又は剥離によって）形成されており、即ち、絶縁体５０は、ＬＥＤを第２導体に連結させることができるように構成されている。
【００１３】
図２の拡大斜視図６０は、図１Ａと図１Ｂを補足している。本図は、スペーサ（図１Ａと図１Ｂの符号２６）を製作し易くする条片(strip)６２を示している。この条片は、ポリマーから容易に成形することができ、孔２８が形成された基部３８と、基部から上向きに伸びる壁３０とを有している。例えば、壁は、孔２８の一方の側から離れるにつれて逸れて行く第１及び第２の壁３２、３３と、孔２８のもう一方の側から離れるにつれて逸れて行く第３及び第４の壁３４、３５とを含んでいる。必ずというわけではないが、逸れて行く壁は、各孔付近に位置する端部が当接しているのが望ましい。各壁は後壁６３と上壁６４で終端している。
【００１４】
ＬＥＤの形態をした発光素子２２を孔２８に入れる工程を示している。接合要素６５と６６は、望ましくは導電性材料（たとえば、導電性エポキシ、はんだ、リフローはんだ）で形成され、ダイオードの陽極を第１導体２４に、ダイオードの陰極を第２導体２５に接合する。こうすることによって、第１及び第２導体とＬＥＤの各接点の間の電気的導通が確保される。両導体の間に電圧が印加されると、ＬＥＤにエネルギーが供給され、ダイオードの接合部４４から光が放射され、その光の少なくとも一部は、その後、壁３０によって導体２４と２５から遠ざかるように方向決めされる。
【００１５】
条片６２には、１つのスペーサを隣り合うスペーサから分離し易くするノッチ６８が形成されている。図２に示すように、他にも様々な条片の実施形態を形成することができる。例えば、スペーサ構造７０は、孔２８Ａ及び２８Ｂと協働するように互いに反対に向いた二壁型構造体を形成している。組立工程では、スペーサは、条片６２から容易に（例えば、ノッチ６８によって）分離させ、図１Ａと図１Ｂに示すように第１及び第２導体に沿って間隔を空けて配置することができる。
【００１６】
第１及び第２導体２４、２５と、スペーサ２６は、実質的に透明な各種構造体に封入されて、細長い発光要素を形成する。例えば、図３Ａ（図１Ｂの３−３面に沿う断面図）は、熱可塑性の収縮チューブ８０内に封入されている場合を示しており、図３Ｂは、熱硬化性成形カバー８２で密封されている場合を示している（各図はスペーサの後壁６３を示している）。図３Ｃでは、カバー８２は、例えば床や壁に当接させる取り付け面８５を形成するカバー８４に変更されている。
【００１７】
図３Ｄでは、図３Ｂのカバー８２を、図３Ｃの取り付け面８５に加えて、一対の突起部８７を形成するカバー８６に変更している（突起部は、後で説明する図４の細長い構造体９０として描画した場合には外側に伸張するリブのように見える）。それら突起部又はリブの可撓特性により、撓んで、衝突物体（例えば、歩行者の靴）の圧力を吸収して、（図２に示す）内部の発光素子への損傷を防止する。
【００１８】
図３Ｅでは、図３Ｂのカバー８２を、各種物体（例えば、履物、衣料品、構造的取り付け具）に（例えば接着剤を使用して、リベットのような機械的要素を使用して、又は縫い付けにより）取り付け易くする取り付け用フランジ８９を設けたカバー８８に変更している。
【００１９】
図３Ａ−図３Ｅのような構造を使用して、図４の構造体９０のような細長い光学表示構造を形成することができ、この構造体は、各種形態に曲げることができ、第１導体２４と第２導体２５の間に電圧が印加されると横方向に光を発する構造体となる。
【００２０】
透明又は半透明の装飾造形９２は、図５Ａに示すように、構造体９０の上を滑動させて（又はその上にパチンと嵌め込んで）装着する各種形態にモールド成形することができる。或いは、装飾造形９４は、図５Ｂに示すように、構造体９０への装着をやり易くするヒンジ付部材９５（非係合状態を破線で図示している）を含んでいてもよい。
【００２１】
図６Ａ−図６Ｃは、少なくとも１つの発光素子２２を搭載するための別の表示構造の実施形態１００を示している。具体的に図６Ａに示すように、スペーサ１０２は、孔２２の配列を画定すると共に、それぞれ各孔を取り囲んでいるカップ様の壁１０４を画定する形状に作られている。図６Ｂは、各孔に１つずつ装着された発光素子２２の配列を示している。図６Ｂは、選択された群の発光素子２２の第１の側にそれぞれ接触する複数の導体２４も示している。これらの導体は、図６Ｂの７−７線に沿う拡大図として図７Ａにも示している。
【００２２】
具体的に図７Ａでは、第１導体２４と第２導体２５を離間するように配置され、孔の中に第１及び第２導体に接触するように発光素子を装着した状態のスペーサ１０２を示している。第２導体２５は、複数の細長い導体（図６Ｂの第１導体２４に同じ）を備えていてもよいし、図６Ｂの発光素子全てに接触する導電性シートを備えていてもよい。
【００２３】
或る光学表示装置の実施形態では、発光素子は、発光接合部４４から光を放射するＬＥＤである。電圧が、第１及び第２の導体を横断して印加されると、ＬＥＤにエネルギーが与えられ、光線１０６が、接合部４４から放射され、図７Ａに示すカップ状の壁１０４によってスペーサ１０２の面から横方向に向けられる。
【００２４】
図６Ｂの第１導体２４は、直線の形態をしているものとして示されているが、これは多くの可能な実施形態の内の１つである。例えば、図６Ｃでは、直線状の経路に沿って置かれていない様々な選択された発光素子に接触するように構成された第１の細長い導体２４Ａを示している。これらの素子は、発光素子の配列から放射される光が様々な模様（例えば、文字、数字、又は単語）を作り出すように選択することができる。
【００２５】
図７Ａのカップ状の壁１０４は、凹型形状を有するように示されており、この形状は、方向決めされた光が強くなるように実質的に放物面状に作られている。図７Ｂは、図７Ａと同様の図で、同様の要素には同じ符号を付して示している。図７Ａのスペーサ１０２と同じように、スペーサ１１０は、第１導体と第２導体を離間するように配置され、孔の配列を画定しており、各孔には、第１及び第２導体に接触させた状態で発光素子２２が装着されている。
【００２６】
しかしながら、スペーサ１０２とは対照的に、スペーサ１１０は、図７Ａの壁１０４の凹型形状ではなく平坦な形状を有するカップ状の壁１１２を画定している。また、スペーサ１１０は、第１導体と第２導体の間の空間を完全に充填すること無く、第１導体と第２導体を互いに離間させている。或いは、スペーサ１１０は、カップ状の壁１１２を画定し、局部的に第２導体と接触し、他の領域で第１導体２４と接触するように形成されたシートを備えている。
【００２７】
図８は、図６Ｂの構造１００と同様の別の発光構造１２０を示しており、同じ要素には同じ符号を付して示している。しかしながら構造１２０は、適したポリマー（例えば、マイラー）で形成された実質的に透明なシート１２２を含んでいる。第１導体２４をシート１２２に貼り付け、次いでそのシートを、導体が各発光素子２２に接触するように配置する。
【００２８】
図９（図８の９−９面に沿う図）に示すように、シート１２２とその第１導体２４には局部的に窪み１２４が形成され、導体と各発光素子２２の間の接触が強化されている。別の発光構造の実施形態では、シート１２４には、光ルミネッセンス膜１２６（例えば、リン光体膜、共役高分子、有機リン光体）が取り付けられている。この実施形態の作動時には、発光素子２２からの光線１２８は、カップ状の壁（図８の１０４）によって方向決めされ、リン光体膜(phosphor film)に当たる。この励起に反応して、光ルミネッセンス膜１２６は光線１３０を発する。異なる色を選択的に表示するには、異なる光ルミネッセンス膜１２６を使用することができる。
【００２９】
半導体ＬＥＤは、様々な波長の光を発するように構成されており、一般的に、これらＬＥＤの順電圧降下は、波長が短くなるにつれて大きくなる。例えば、赤色、黄色、及び緑色のＬＥＤは、通常それぞれ、１．８−２．０ボルト、２．０−２．２ボルト、２．２−２．５ボルトの範囲で順電圧降下を呈する。また、各ＬＥＤは、通常、ＬＥＤ性能パラメータ（例えば、輝度、放散、及び寿命）を高めるために推奨される特定の順電流を有している。
【００３０】
従って、光学表示構造のＬＥＤとそれらに対応する第１及び第２導体の間に、抵抗性部材を挿入することが望ましい。この代表例を図２に示しており、ここでは、抵抗部材１３６（例えば、薄膜抵抗器、厚膜抵抗器、導電性ペースト、導電性エポキシのような抵抗膜）が、ＬＥＤ２２の陽極と第１導体２４の間に挿入されている（挿入矢印１３８により挿入を示しており、例えば、部材を陽極上に載置する）。代わりに、抵抗部材は、ＬＥＤ２２の陰極と第２導体２５の間に挿入してもよい。
【００３１】
抵抗部材１３６の抵抗率と断面は、選択された供給電圧が第１及び第２導体２４、２５を介して印加されると、特定の順電流が流れる所定の抵抗を実現するように構成されている。或る代表的な緑色ＬＥＤは、例えば、順電圧降下２．８ボルト及び順電流２０ミリアンペアとなるように規定されている。この特定のＬＥＤの場合、抵抗部材１３６の抵抗率と断面は、選択された供給電圧が３．０から４．８ボルトの範囲で上昇した場合に、１０から１００オームの範囲で抵抗を上昇させるように作られているのが望ましい。
【００３２】
一般に、抵抗部材１３６の抵抗率と断面は、与えられた供給電圧に応じて規定された順電流を実現するように選定される。素子間の導電率を高めるために、導電性膜を、陽極及び陰極面上に載置してもよいし、更に、抵抗部材と、その対応相手である第１及び第２導体の一方との間に挿入してもよい。
【００３３】
図１０Ａ-図１０Ｄは、本発明の別の光表示の実施形態を示している。具体的には、図１０Ａは、ＬＥＤ２２の陽極及び陰極面の内の選択された一方の面（図１０Ａでは陽極面を選択）を第１導体２４に連結するワイヤボンド１４２の挿入がやり易くなるように、第１及び第２導体２４と２５が配置された（例えば、隣同士に並んだ）光表示の実施形態１４０を示している。
【００３４】
図１０Ｂに示すように、抵抗部材１３６（図２で紹介）は、ＬＥＤ２２とワイヤボンド１４２の間に挿入するのが望ましい。また、ＬＥＤの陽極と陰極（及び抵抗部材１３６）は、導電性要素６５と６６（図２で紹介）を使って、ワイヤボンド１３６と第２導体２５に接合される。
【００３５】
図１０Ｃは、図１０Ａの実施形態１４０と同様の光表示の実施形態１６０を示しており、同様の要素は同じ符号を付して示している。しかしながら、この実施形態では、第１導体２４を、複数のタブ１６６が形成された導体１６４に変更している。次いで、各ＬＥＤ２２を、第２導体２５と各タブの間に連結する。図１０Ｄは、導体１６４とそのタブ１６６を第１導体２４とワイヤボンド１４２に置き替えている以外は図１０Ｂと同じである。
【００３６】
図１０Ａ−図１０Ｄの光表示の実施形態は、様々な実質的に透明な構造体に封入され、細長い放射要素を形成する。例えば、図３Ａ−図３Ｄでは、それらを図１Ａ−図１Ｃ並びに図２の光表示の実施形態に置き換えてもよい（図３Ａ−図３Ｄでは、第１及び第２導体２４、２５とスペーサの後壁６３で表されている）。
【００３７】
図１−図１０Ｄに示す光学表示構造の実施形態は、単純且つ部品点数が少ないので、各種ポリマーから経済的に製作して迅速に組み立てることができる。従って、各種形態を実現するのに好適である。例えば、光が細長い形状から横方向に向けられる細長い表示構造、又は光がシートから横方向に向けられるシート様表示構造に作り上げることができる。上記実施形態の説明は、様々な形態（例えば、反射壁又は屈折壁）に構成することができる導光器となる壁を含んでいる。
【００３８】
各図面に様々な形態で示したスペーサ（例えば、２６、１０２）、図１Ｂの絶縁体４０、図３Ａのチューブ８０、図３Ｂのカバー８２、及び図８と図９の透明シート１２２は、ポリマー（例えば、ポリイミドとマイラー）のような各種絶縁体から製作することができる。第１及び第２導体（図２の２４と２５）は、各種導電性金属箔（例えば、銅と銀）から形成してもよい。スペーサは、各ＬＥＤからの方向決めされた光を強化する色に製作してもよい。
【００３９】
或る代表的な表示の実施形態では、図９の光ルミネッセンス膜１２６には、例えば青色ＬＥＤで励起されて、方向決めされる光線１３０を実質的に白色にする、共役ポリマー及び有機リン光体が含まれる。
【００４０】
ここで説明した本発明の実施形態は代表的なものであり、各種修正、変型、及び配置変更を、実質的に等価な効果を実現するものとして容易に想起することができ、それらは全て、特許請求の範囲に定義する本発明の精神及び範囲内に含まれるものとする。
【図面の簡単な説明】
【００４１】
【図１】図１Ａと図１Ｂは、それぞれ、本発明の光学表示構造の或る実施形態の上面図と側面図であり、図１Ｃは、図１Ｂの曲線１Ｃで囲んだ部分の構造の別の実施形態の拡大図である。
【図２】図１Ａと図１Ｂの光学表示構造の拡大斜視図であり、追加の光学表示構造を示している。
【図３】図３Ａから図３Ｄは、図１Ｂの３−３面に沿う断面図であり、追加の光学表示構造を示している。
【図４】図３Ｃの光学表示構造の、可撓性を有する細長い形状を強調した斜視図である。
【図５】図５Ａと図５Ｂは、図４の構造上に支持される、追加の光学表示構造の図である。
【図６】図６Ａから図６Ｃは、本発明の光学表示構造の別の実施形態の拡大平面図である。
【図７】図７Ａと図７Ｂは、図６Ｂの７−７面に沿う拡大断面図であり、追加の光学表示構造を示している。
【図８】図６Ｂと同様の拡大図であり、追加の光学表示構造を示している。
【図９】図８の９−９面に沿う拡大断面図であり、追加の光学表示構造を示している。
【図１０】図１０Ａは、本発明の光学表示構造の別の実施形態の上面図である。
【００４２】
図１０Ｂは、図１０Ａの１０Ｂ−１０Ｂ面に沿う断面図である。
図１０Ｃは、本発明の光学表示構造の別の実施形態の上面図である。
図１０Ｄは、図１０Ｃの１０Ｄ−１０Ｄ面に沿う断面図である。
【図１Ａ】
2007526630.tif 000003
【図１Ｂ】
2007526630.tif 000004
【図１Ｃ】
2007526630.tif 000005
【図２】
2007526630.tif 000006
【図３Ａ】
2007526630.tif 000007
【図３Ｂ】
2007526630.tif 000008
【図３Ｃ】
2007526630.tif 000009
【図３Ｄ】
2007526630.tif 000010
【図３Ｅ】
2007526630.tif 000011
【図４】
2007526630.tif 000012
【図５Ａ】
2007526630.tif 000013
【図５Ｂ】
2007526630.tif 000014
【図６Ａ】
2007526630.tif 000015
【図６Ｂ】
2007526630.tif 000016
【図６Ｃ】
2007526630.tif 000017
【図７Ａ】
2007526630.tif 000018
【図７Ｂ】
2007526630.tif 000019
【図８】
2007526630.tif 000020
【図９】
2007526630.tif 000021
【図１０Ａ】
2007526630.tif 000022
【図１０Ｂ】
2007526630.tif 000023
【図１０Ｃ】
2007526630.tif 000024
【図１０Ｄ】
2007526630.tif 000025
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
少なくとも１つの発光素子にエネルギーを供給するための表示構造において、
第１及び第２導体（２４、２５）と、
前記導体の間に連結された複数の発光素子（２２）と、を備えている構造。
【請求項２】
前記導体は細長く、前記発光素子は、前記導体に沿って間隔を空けて配置されている、請求項１に記載の構造。
【請求項３】
前記発光素子は、ぞれぞれ、陽極面と陰極面を有し、前記構造は、前記発光素子それぞれの前記陽極面と陰極面の少なくとも一方の面を覆うように載置された複数の抵抗部材（１３６）を更に含んでいる、請求項１に記載の構造。
【請求項４】
前記第１導体と第２導体の一方を覆うように載置された絶縁体（５０）を更に含んでおり、前記絶縁体には、それぞれに前記発光素子を１つずつ入れる複数の孔（５２）が形成されている、請求項１〜３の何れか一項に記載の構造。
【請求項５】
前記第１導体と第２導体の一方の上に載置され、前記発光素子を前記第１及び第２導体に連結できるように構成された絶縁体（５０）を更に含んでいる、請求項１〜４の何れか一項に記載の構造。
【請求項６】
前記発光素子は、それぞれ、陽極面と陰極面を有し、前記構造は、前記発光素子それぞれの前記陽極面と陰極面の少なくとも一方の面を覆うようにそれぞれに載置された複数の抵抗部材（１３６）を更に含んでいる、請求項１〜５の何れか一項に記載の構造。
【請求項７】
前記第１導体には複数のタブ（１６６）が形成されており、前記発光素子それぞれは、前記第２導体と前記タブそれぞれの間に連結されている、請求項１に記載の構造。
【請求項８】
前記第１導体と第２導体を離間させるように配置された少なくとも１つのスペーサ（２６）を更に備えており、前記スペーサには、前記発光素子を１つずつ入れるための孔（２８）が形成されている、請求項１に記載の構造。
【請求項９】
前記スペーサには、前記各発光素子からの光の方向を定めるために配置された導光器（３０）が形成されている、請求項８に記載の構造。
【請求項１０】
前記スペーサには、前記発光素子それぞれを、それぞれに取り囲んでいるカップ状の導光器（１０４）の配列が形成されている、請求項９に記載の構造。
【国際調査報告】
2007526630.tif 000026
2007526630.tif 000027
2007526630.tif 000028